Podtech/llm-jp-corpus-v4-ja_patent huggingface dataset:
(57)【要約】      （修正有）【課題】酒類用の飲用カップのみならず清涼飲料水用の飲用カップにも適用されるものであり、カップの装飾的、芸術的な付加価値を備えただけでなく、展示用置物としてもその美的効果を備えた飲用カップを提供する。【解決手段】グラス１本体の温度は製造時の窯の温度とほぼ同じおよそ１３５０℃度であり、葡萄の材質は真珠玉で加工されたものとする。挿入時期はリン吹きが終わりグラスを鋳物製の型に入れて膨らませグラス形状のなったところ、つまり（ガラス）カップの融点が真珠玉の溶融点以下の頃合いにおいてカップの先端部分にグラス１の足を造る工程の直前に挿入することによって葡萄の立体的な房４となって仕上がる。飲用グラス器において、たとえば真珠で出来た立体の葡萄の形状がグラス器内の空間部分とグラス器低の内部とに一個の造形物を通して埋め込んで設置されることを特徴とする。【選択図】図１
0003187923.tif 000002
【実用新案登録請求の範囲】
【請求項１】
カップ（１）の底面（３）に任意の形で製造したミニチュアの造形物（４）を、その一定部分だけをカップの底面の中へ埋めて装飾物と成した飲料用カップの構造。
【請求項２】
前記ミニチュアの造形物に使用する材質の種類については、本願考案物の利用者の好みによる付加価値性の選択が可能なように、その材質は陶器、鉄、真珠、ルビー、大理石、石英、サファイアなどを埋め込めることを特徴として利用する請求項１記載の飲料用カップの構造。
【請求項３】
前記ミニチュアの造形物に使用する造形物の種類については、本願考案物の利用者の好みによる選択が可能なように、さまざまな花の形、動物の形、小鳥の形、玩具の形、果物の形を製作して供給出来ることを特徴とする請求項１記載の飲料用カップの構造。
【請求項４】
本願考案はダブルウオールグラスにおいても同様の構造とする。
【考案の詳細な説明】
【技術分野】
【０００１】  本考案は、ワイングラス、リキュールグラス、ゴブレット、タンブラー、ブラデイーグラス、シャンパングラス、及びダブルウオールグラスなどの飲料用グラスの底部に陶器製、大理石、ホーロー製、スチール製及びルビー、サファイア、アクアマリン、石英ガラス、モリブデン、真珠、トパーズ、他の貴金属製を材料とした小鳥や人形やリンゴや果物、あるいはトラやペンギン、白鳥など動物や鳥類を模した立体ミニチュアの造形物をグラス底面から挿入して造形物上部の上半分ほどを残して埋め込んで設置してなる飲料用グラスに関する。
【背景技術】
【０００２】  本願考案の背景技術は（ワイン）グラスの形状に、葡萄の房を埋め込んだ形状図案を基にした図形で説明する。
【考案の概要】
【考案が解決しようとする課題】
【０００３】  これまでのグラス器においてはグラス容器表面における各種のカテイング彫刻されてなるデザインや器の底部内へ造形物を密閉埋蔵したものはあった。しかし本願考案によれば、空気に触れる部分と併せた大きなスペースが利用できるため、より大きな造形物の設置が可能になる。よって本願考案に係る造形物は、グラス器が空の時は空気中にあり、水溶液が注入された状態においては水族館の雰囲気さえも楽しめる造形物の設置が可能になる。
【課題を解決するための手段】
【０００４】  グラス本体の温度は製造時の窯の温度とほぼ同じおよそ１３５０℃度であり、葡萄の材質は真珠玉で加工されたものとする。挿入時期はリン吹きが終わりグラスを鋳物製の型に入れて膨らませグラス形状のなったところ、つまり（ガラス）カップの融点が真珠玉の溶融点以下の頃合いにおいてカップの先端部分にグラスの足を造る工程の直前に挿入することによって葡萄の立体的な房が（図１）となって仕上がった構造である。
【考案の効果】
【０００５】  飲用グラス器において、たとえば真珠で出来た立体の葡萄の形状がグラス器内の空間部分とグラス器低の内部とに一個の造形物を通して埋め込んで設置されることを特徴とする。外部からみてもこれまでに無かった真珠の葡萄の房が備わった付加価値の高い装飾方式のグラス器となる。さらに、実際にワインなどを注入すればインの色に染まって外から見えるため装飾グラスに変化を楽しめるグラス器となる。つまり本願考案によれば真珠以外の任意の各種原材料を使用しすることが出来るため、植物形、動物、有名建造物、企業の立体的ロゴマーク形などの各種の造形物を備えることが出来る。また造形物の材料に関しても各種値打ちの異なる原材料で生産、設置されるためグラス価値も消費者の需要に応じて消費者が選択出来る。製造時においていわゆるそれぞれの財産的値打ちの発生により利用者によってグラス器製品におけるこれまでに存在しなかった芸術的価値を創造させる上に利用者別に美的嗜好、財産的嗜好も選べることになる。
【考案を実施するための形態】
【０００６】  以上の最良なグラス内の空間及びグラス本体底部に葡萄の房を一部分だけ埋め込んだグラスの実施形態について本願考案を図面に示して具体的に説明する。
【図面の簡単な説明】
【０００７】
【図１】本願考案のグラスカップの底面に葡萄の形状の一部分を埋め込んだ状態の斜視図である。
【図２】本願考案のグラスカップの底面に葡萄の形状の一部分を埋め込んだ状態に水溶液（ワイン）を注いだ状態の正面図である。
【図３】本願考案を上からのぞいた平面図である。
【符号の説明】
【０００８】１‥‥‥‥‥グラスカップ（ワイングラス）
２‥‥‥‥‥内壁
３‥‥‥‥‥底面
４‥‥‥‥‥葡萄の房
５‥‥‥‥‥飲料水（ワイン）
６‥‥‥‥‥足
７‥‥‥‥‥台
【図１】
0003187923.tif 000003
【図２】
0003187923.tif 000004
【図３】
0003187923.tif 000005
【手続補正書】
【提出日】平成25年9月27日(2013.9.27)
【手続補正１】
【補正対象書類名】実用新案登録請求の範囲
【補正対象項目名】全文
【補正方法】変更
【補正の内容】
【実用新案登録請求の範囲】
【請求項１】
カップ（１）の底面（３）に任意の形で製造したミニチュアの造形物（４）を、その一定部分だけをカップの底面の中へ埋めて装飾物と成した飲料用カップの構造。
【請求項２】
請求項１に記載のミニチュアの造形物（４）に使用する素材及び材質の種類については、本願考案物の利用者の好みによる付加価値性の選択が可能なように、その素材及び材質の種類はプラステイック、ガラス、七宝焼き、アルミ合金、希土類、陶器、鉄、真珠、ルビー、大理石、石英またはサファイアを埋め込めることを特徴として利用する請求項１記載の飲料用カップの構造。
【請求項３】
前記ミニチュアの造形物（４）に使用する造形物の種類については本願考案物の利用者の好みによる選択が可能なように、さまざまな花の形、動物の形、小鳥の形、玩具の形、果物の形を製作して供給できることを特徴とする請求項１記載の飲料用カップの構造。
【請求項４】
本願考案はダブルウオールグラスにおいても埋め込むその素材及び材質の種類はプラステイック、ガラス、七宝焼き、アルミ合金、希土類、陶器、鉄、真珠、ルビー、大理石、石英またはサファイアを埋め込めることを特徴として利用する請求項１記載の飲料用カップの構造。
(57)【要約】      （修正有）【課題】部屋の間仕切りに設けられた、欄間の隙間からの空気の流れを遮断する欄間カバーを提供する。【解決手段】欄間１の外側にアクリル等透明で空気の流れを遮断する仕切り板２を設置する。【選択図】図１
0003187928.tif 000002
【実用新案登録請求の範囲】
【請求項１】
欄間の外側に透明で、空気の流れを遮断するような透明な板を設置することを特徴とする欄間カバー。
【考案の詳細な説明】
【技術の分野】
【０００１】  本考案は、部屋と部屋の仕切りの上部に飾り建具として設けられた、欄間にカバーを掛けるという欄間に関するものである。
【技術分野】
【０００２】  従来の欄間は、風通しを良くするとか、採光のためとかで取り付けられてあった。
現代においては、冷暖房機器の温度差が、前記欄間の隙間を通して逃げるという問題が発生していた。
【考案の概要】
【考案が解決しようとする課題】
【０００４】  欄間の隙間を覆って、空気が行き来しないようにする。
【課題を解決するための手段】  欄間の片側をアクリル製等、中身が見える透明な素材で仕切り、冷暖房の効率を上げる。
【考案の効果】
【０００５】  欄間が設けられた部屋を従来よりも効率的に冷やす。それとともに、エネルギーが節約できる。
【図面の簡単な説明】
【０００６】
【図１】欄間に設けられた、アクリル製の透明な仕切り板。
【考案を実施するための形態】
【０００７】  欄間の片側に、アクリル等透明で、空気の流れを遮断するような素材でできた板を設置する。
【実施例】
【０００８】  以下添付図に従って、一実施例を説明する。
１は、欄間。２は、欄間の外側に設けられた透明な仕切り板。
【符号の説明】
【０００９】１．欄間
２．透明な仕切り板
【図１】
0003187928.tif 000003
(57)【要約】      （修正有）【課題】男性スーツ上着のポケットに、差し込むだけで滑らず、チーフの形を自由に変えてキープできるワイヤー入りポケットチーフを提供する。【解決手段】革の台１にワイヤーを内蔵したポケットチーフ２をピン４を使って台の片端にかしめる。また同じように裏側ももう１枚のワイヤー内蔵ポケットチーフ５をピン７を使って台の片端にかしめる。かしめで装着していない部分３，６を自分の好みの形に形成してそのままポケットに差し込むことができる。朝時間がない方、個性を出したい方、そしてクールビズ対策でネクタイをしめない方々にも役立つ。【選択図】図１
0003187926.tif 000002
【実用新案登録請求の範囲】
【請求項１】
チーフの内側にワイヤーが内蔵されている。
【請求項２】
ワイヤー入りチーフと台をかしめる。
【請求項３】
ワイヤー入りチーフは台に少なくても二枚以上つける。
【請求項４】
チーフの台は男性用スーツポケットの上部のところまで差し込む形である。
【考案の詳細な説明】
【技術分野】
【０００１】本考案は男性スーツ上着のポケットに、差し込むだけで滑らず、チーフの形を自由に変えられるものである。
【背景技術】
【０００２】従来のポケットチーフはずり落ちる、型崩れするなどの不便さがあった。
【先行技術文献】
【特許文献】
【０００３】
【特許文献１】  特開２０１０−０９５８３０号  公報
【特許文献２】  特開平０６−３１３２０１号  公報
【特許文献３】  特開平１１−２７９８０５号  公報
【非特許文献】
【０００４】
【非特許文献１】
【考案の概要】
【考案が解決しようとする課題】
【０００５】ハンカチを差しただけでは、ポケットの中に埋まってしまう。また、かたちを作るのに、時間がかかる・・従って、ポケットに差し込むだけで滑らず、形もキープできる。
ひとつのチーフで何パターンも楽しめて、節約、時短、そして個性の強調となる。
【課題を解決するための手段】
【０００６】本考案は、ポケットの上部の幅に合わせて作った革の土台に、ワイヤー入りの形づくられたチーフ２枚を付ける。付け方は革の土台を真ん中にしてワイヤー入りチーフで挟み込む。革とチーフの接着方法はカシメで２か所とめる。止める位置は土台の革の端から１／３の所に止める。裏でも表でも利用でき、ひとつのチーフで何パターンも形つくれることで、問題を解決している。
【考案の効果】
【０００７】上述の様に本考案のワイヤー入りポケットチーフはスーツのポケットに入れるだけでズリ落ちず簡易的に装着出来ることは勿論、片端にしか、かしめてないことにより自由に形が変えられる、そのことにより個人の考えた形をＴＰＯに合わせたデザインで使用できる。
【図面の簡単な説明】
【０００８】
【図１】本考案のワイヤー入りポケットチーフの一実施例を示す正面図とそれを裏から見た図である。また、ポケットチーフの形をデザインした時の一例の図である。
【考案を実施するための形態】
【０００９】ポケットチーフの中にワイヤーを使用しチーフの部分とスーツのポケットに入れる土台となる革の部分を合体させ簡易的にポケットに入れるだけでずり落ちず、形が崩れない。また土台の片端にしかチーフを装着していないため装着していない部分のチーフを自由に折り曲げ個人の考えた形をＴＰＯにあったデザインで使用できる。
【実施例】
【００１０】ポケットの上から覗かせる。しかもズリ落ちない。【００１１】２・５の片端だけをかしめている為、装着していない部分を自由に動かし何パターンもの形ができる。【００１２】本考案の一実施例は上述の如き、ずり落ちず簡単にポケットに装着できることは勿論、ひとつのチーフでＴＰＯに合った形で使用できる。
【符号の説明】
【００１３】１  革の土台
２  本チーフ一枚目
３  バイヤステープ１
４  かしめ１
５  本チーフ二枚目
６  バイヤステープ２
７  かしめ２
【図１】
0003187926.tif 000003
【手続補正書】
【提出日】平成25年8月26日(2013.8.26)
【手続補正１】
【補正対象書類名】実用新案登録請求の範囲
【補正対象項目名】全文
【補正方法】変更
【補正の内容】
【実用新案登録請求の範囲】
【請求項１】
チーフの内側にワイヤーが内蔵されているワイヤー入り簡易型ポケットチーフ。
【請求項２】
前記チーフは土台とかしめられている請求項１記載のワイヤー入り簡易型ポケットチーフ。
【請求項３】
前記チーフは少なくとも２枚以上である請求項２記載のワイヤー入り簡易型ポケットチーフ。
(57)【要約】      （修正有）【課題】従来からある水泳帽を被ることに楽しみを見いだせる飾り付き水泳帽を提供する。【解決手段】競技用の水泳帽１に花飾り２や、シュシュ的なものを縫い付けて華やかさを持たせる。【選択図】図１
0003187939.tif 000002
【実用新案登録請求の範囲】
【請求項１】
水泳帽本体に、飾りをつけることを特徴とする飾り付き水泳帽
【考案の詳細な説明】
【技術分野】
【０００１】  本考案は、水泳をする時に被る水泳帽に関するものである。
【背景技術】
【０００２】  従来、水泳をする時、水の抵抗を考えて飾りのないものが使用されてきた。
しかし、水泳を行なおうとする者は、競技に出るような者ばかりではない。高齢化社会においては、体力づくり、リハビリ、ダイエット等の目的で水泳を取り入れようとする人も少なくない。そこでは、飾りのない競技用の帽子に抵抗があって、踏み込めない人も少なからずいる。また、今取り組んでいる人も、水着だけでなく帽子も工夫のある飾り付きにすることによって、さらに楽しめるのではないかと考える。
【考案の概要】
【考案が解決しようとする課題】
【０００３】  競技用の水泳帽では抵抗があるという人に、楽しめる帽子を提供する。
【課題を解決するための手段】
【０００４】  本考案は、競技用の水泳帽に花飾りや、シュシュ的なものを縫い付けて華やかさを持たせる。
【考案の効果】
【０００５】  ダイエット、膝のリハビリ、体力づくりには水泳を含めた水中運動が効果的と言われている。水中運動に取り組みたいが、帽子が競技用では高齢者などは抵抗を覚えるという人に、こういう帽子を提供することによって、プールに通う人が増え、健康を増進していくという効果が期待できる。
【図面の簡単な説明】
【０００６】
【図１】競技用水泳帽に飾りを付けたもの
【考案を実施するための形態】
【０００７】従来の競技を主たる目的にした水泳帽に、花とかシュシュ的なものをつける。
【実施例】
【０００８】  以下添付図に従って、一実施例を説明する。
１は、従来からある競技用の水泳帽。２は、取り付けた飾り。
【符号の説明】
【０００９】１  水泳帽本体
２  飾り
【図１】
0003187939.tif 000003
【手続補正書】
【提出日】平成25年9月13日(2013.9.13)
【手続補正１】
【補正対象書類名】実用新案登録請求の範囲
【補正対象項目名】全文
【補正方法】変更
【補正の内容】
【実用新案登録請求の範囲】
【請求項１】
水泳帽本体に、花やシュシュの飾りをつけることを特徴とする飾り付き水泳帽。
(57)【要約】      （修正有）【課題】家庭用の収納用容器において、内部に詰め込まれたパッケージの取り出しや再挿入が容易な構造を提供する。【解決手段】複数のパッケージを収納する本体部１０よりなる収納用容器２００において、本体部１０は、各々が一のパッケージ１３のみを取り出し可能な高さを有する、互いに区切られた複数の取り出し口１５と、パッケージ１３を取り出す際に側面から指の挿入が可能な側面開口部１２と、取り出し口１５の底面から本体部１０の正面側に向かって下方向に傾斜する傾斜部１１とを備えている。複数の取り出し口１５は、上下二段に構成されており、各段において、取り出し口１５は４つずつ設けられている。【選択図】図１
0003187935.tif 000002
【実用新案登録請求の範囲】
【請求項１】
複数のパッケージを収納する本体部よりなる収納用容器であって、
前記本体部は、
各々が一の前記パッケージのみを取り出し可能な高さを有する、互いに区切られた複数の取り出し口と、
前記パッケージを取り出す際に側面から指の挿入が可能な側面開口部と、
前記取り出し口の底面から前記本体部の正面側に向かって下方向に傾斜する傾斜部とを備え、
前記複数の取り出し口は、上下二段に構成されており、各段において、前記取り出し口は４つずつ設けられている、収納用容器。
【考案の詳細な説明】
【技術分野】
【０００１】
本考案は、例えばパッケージを収容するための容器に関する。
【背景技術】
【０００２】
例えば自動販売機などのように、内容物がパッケージされたものを収容するための容器が存在する。家庭用などに複数種類のパッケージが詰め込まれ、取り出し可能な収納用容器も普及している。
【考案の概要】
【考案が解決しようとする課題】
【０００３】
本考案の目的は、例えば家庭用の収納用容器において、内部に詰め込まれたパッケージの取り出しや再挿入が容易な構造を提供することである。
【課題を解決するための手段】
【０００４】
複数のパッケージを収納する本体部よりなる本考案の収納用容器において、本体部は、各々が一のパッケージのみを取り出し可能な高さを有する、互いに区切られた複数の取り出し口と、パッケージを取り出す際に側面から指の挿入が可能な側面開口部と、取り出し口の底面から本体部の正面側に向かって下方向に傾斜する傾斜部とを備えている。さらに、複数の取り出し口は、上下二段に構成されており、各段において、取り出し口は４つずつ設けられている。
【考案の効果】
【０００５】
本考案によると、例えば家庭用の収納用容器において、内部に詰め込まれたパッケージの取り出しや再挿入が容易となる。
【図面の簡単な説明】
【０００６】
【図１】本考案の一実施形態に係る収納用容器の構成を示す斜視図である。
【図２】（ａ）〜（ｆ）は、本考案の一実施形態に係る収納用容器の構成を示す六面図であって、順に、正面図、背面図、左側面図、右側面図、上面図、底面図である。
【考案を実施するための形態】
【０００７】
以下、本考案の一実施形態について図面を参照しながら説明する。
【０００８】
なお、以下の説明は、本質的に例示に過ぎず、本考案、その適用物あるいはその用途を制限するものではない。
【０００９】
図１及び図２に、本考案の収納用容器２００の概略を示す。同図中、１０は本体部、１１は傾斜部、１２は側面開口部、１３はパッケージ、１４は区切り部、１５は取り出し口、２０及び２１は取り付け用金具を表しており、この収納用容器２００は、主に、例えば取り出し口１５毎に異なる複数種類のビタミン剤パッケージ１３を収納するための家庭用の収納用容器２００に用いられる。
【００１０】
この収納用容器２００において、図１及び図２に示すように、区切り部１４によって互いに区切られた取り出し口１５には、複数のパッケージ１３を上下方向に重ねて詰め込むことが可能になっている。取り出し口１５では、図２（ａ）に示すように、その高さｈが、一番下に位置するパッケージ１３のみが取り出し可能に設定されている（つまり、高さｈは一のパッケージ１３の高さよりも高く且つパッケージ１３の二つ分の高さよりも低い。）。このため、下から二番目に位置するパッケージ１３は、一番下に位置するパッケージ１３を取り出す際に意図せず同時に出てくることがない。また、側面開口部１２は、取り出し口１５からパッケージを取り出す際に、本体部１０の側面から指が容易に挿入できるように開口されている。さらに、取り出し口１５では、その底面から本体部１０の正面側に向かって下方向に傾斜する傾斜部１１が設けられている。これにより、一端取り出したパッケージ１３を取り出し口１５から再度パーケージ１３を詰め込む際に、一番下に位置するパッケージ１３の底面側から傾斜部１１を介して、あらたに一番下に詰め込むことが容易にできる。なお、本実施形態では、取り出し口１５が上下二段に構成されており、各段において、取り出し口１５は４つずつ設けられている。また、収納容器１０は、取り付け用金具２０や２１を用いて、例えば壁などに取り付けられるようになっている。
【００１１】
以上のように、本考案によると、例えば家庭用の収納用容器において、内部に詰め込まれたパッケージの取り出しや再挿入が容易となる。
【符号の説明】
【００１２】
２００  収納用容器
１０  本体部
１１  傾斜部
１２  側面開口部
１３  パッケージ
１４  区切り部
１５  取り出し口
２０、２１  取り付け用金具
【図１】
0003187935.tif 000003
【図２】
0003187935.tif 000004
(57)【要約】      （修正有）【課題】実際に体温計を測定しているかのような体感ができる体温測定のシミュレーションが可能な現物に近いイヌ・ネコの肛門モデルを提供する。【解決手段】イヌ・ネコ肛門モデルの形体において、（１）生体のイヌ・ネコの肛門の色に近しい着色をされたウレタン素材を用い、イヌ・ネコの生体の肛門の実物に近い大きさ、硬さ、感触を再現し、（２）イヌ・ネコの生体に近しい楕円の形状で、イヌ・ネコそれぞれの肛門を化学素材の凹凸で再現し、（３）肛門表面部に小さな開腔部ｂを設け、（４）イヌ・ネコそれぞれの生体に近い太さで、小さく細長い穴が開けられた筒上の化学素材で直腸を再現したことを特徴とする。【選択図】図１
0003187936.tif 000002
【実用新案登録請求の範囲】
【請求項１】
イヌ・ネコの生体の肛門と直腸の形・色・感触を再現し、小さな開腔部と細長い穴の開いたイヌ・ネコの肛門モデル。
イヌ・ネコの生体の肛門と直腸の形状・色・感触を模し、中央部に小さく細長い穴が開いているイヌ・ネコの肛門モデル。
イヌ・ネコの肛門と直腸によく似た形・色・感触を持ち、中央部に細長い穴が開いているイヌ・ネコの肛門モデル。
【請求項２】
イヌ・ネコの肛門を模し、小さな開腔部から体温計が挿入可能であり、生体非常によく似た感覚を体感できるイヌ・ネコの肛門モデル。
イヌ・ネコの体温測定が可能な肛門モデル。
【請求項３】
留め具のついた請求項１のイヌ・ネコの肛門モデル。
他の物体に固定するための部品が含まれるイヌ・ネコの肛門モデル。
【考案の詳細な説明】
【技術分野】
【０００１】本開発は正常なイヌ・ネコの触診モデルに関する、肛門のパーツである。
【背景技術】
【０００２】従来、動物医療でも代替法がうたわれているが、実際、動物医療のトレーニングには実験動物が用いられている。動物医療トレーニングでのシュミレーションモデルにおいて、最も一般的な直腸温測定のトレーニングに用いる肛門を作成した。
【先行技術文献】
【特許文献】
【０００３】
【特許文献１】心臓モデル  特開  ２０１３−０２９８２０
【特許文献２】乳がん啓発用模型  実登  ３１３４１４５
【考案の概要】
【考案が解決しようとする課題】
【０００４】本開発の課題は、実際に体温計を測定しているかのような体感ができる体温測定のシミュレーションが可能な現物に近いイヌ・ネコの肛門を提供する。
【課題を解決するための手段】
【０００５】ウレタンを用い、現物に近い大きさ、硬さを再現し、肛門表面に小さな開腔部を設け、直腸に位置する箇所に細長い穴を開けることで肛門体温計の挿入感覚を体感でき、留具用のリングを装着したイヌ・ネコの肛門モデルを提供する。
【考案の効果】
【０００６】獣医師・動物看護師の教育の場における直腸温測定のシミュレーションが可能である。
【図面の簡単な説明】
【０００７】
【図１】イヌの肛門モデルを示した平面図
【図２】ネコの肛門モデルを示した平面図
【考案を実施するための形態】
【０００８】本発明について詳細に説明する。本発明は、飼育動物であるイヌ・ネコの触診時の感触、色、サイズを実現させた、体温計の挿入も可能なウレタン製の肛門であり固定用具（ａ）が付属している。
【実施例】
【０００９】本発明に当たり、現職獣医師、看護師、及び大学内で動物の飼育に携わり頻繁にイヌもしくはネコの直腸温測定をする機会のある者にアンケート用紙を用いてアンケート調査を行った。その結果、大半の回答者が制作したモデルに対し、好意的な意見を述べた。
0003187936.tif 000003
実際に用いたアンケート用紙（左）とアンケートの結果（右）
アンケートの結果は左上がイヌ肛門モデルの形における結果、右上がイヌ肛門モデルの挿入感覚における結果、左下がネコ肛門モデルの形における結果、右下がネコ肛門モデルの挿入感覚における結果となっており、回答されたアンケート結果を同一の方法で示し直した。いずれもモデルに対する好意的な意見（似ているという意見）が過半数、もしくは同人数いる。
回答されたアンケートの回答で３を０（無効）とし、モデルに対して良いという回答である場合の回答であれば加点（尺度にしたがって＋１、＋２）、そうでない場合は減点（−１、−２）としその点数をカウントした。その結果、明らかに「良い」という回答が多い事が分かった。
0003187936.tif 000004
【符号の説明】
【００１０】ａ  留具用リング
ｂ  挿入腔
【図１】
0003187936.tif 000005
【図２】
0003187936.tif 000006
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
イヌ・ネコ肛門モデルの形体において
（１）生体のイヌ・ネコの肛門の色に近しい着色をされたウレタン素材を用い、イヌ・ネコの生体の肛門の実物に近い大きさ、硬さ、感触を再現したイヌ・ネコの肛門モデル
（２）獣医医療に携わる者の意見および経験を基に、イヌ・ネコの生体に近しい楕円の形状で、イヌ・ネコそれぞれの肛門を化学素材の凹凸で再現したイヌ・ネコの肛門モデル
（３）肛門表面部に小さな開腔部を設けたイヌ・ネコの肛門モデル
（４）イヌ・ネコそれぞれの生体に近いし太さで、小さく細長い穴が開けられた筒上の化学素材で直腸を再現したイヌ・ネコ肛門モデル
以上（１）〜（４）の構成からなるイヌ・ネコの肛門モデル。
【請求項２】
請求項１のイヌ・ネコ肛門モデルにおいて
（１）小さな開腔部から体温計が挿入可能なイヌ・ネコの肛門モデル
（２）肛門部の小さな開腔部および直腸部分の穴の大きさにより、生体に体温計を挿入した際と非常によく似た感覚を体感できるイヌ・ネコの肛門モデル
以上の（１）（２）の特徴を持つ請求項１のイヌ・ネコの肛門モデル。
【請求項３】
請求項１のイヌ・ネコ肛門モデルにおいて
（１）請求項１のイヌ・ネコの肛門モデルの直腸の太さに密着する内径のリングが直腸部と肛門部の境目に留め具として付属するイヌ・ネコの肛門モデル
（２）留め具により他の物体に固定が可能なイヌ・ネコの肛門モデル
以上の（１）（２）の特徴の留め具が付属された請求項１のイヌ・ネコの肛門モデル。
(57)【要約】      （修正有）【課題】再生音を音程を変えずに、任意のスピ−ドに変えて聴くことができる携帯音楽プレーヤーを提供する。【解決手段】携帯音楽プレイヤ−に音程を変えずに再生スピ−ドを変える再生スピ−ド可変機能２と、前記再生スピ−ド可変機能を接続線６を介して連動して起動させることができる操作ボタン３を設ける。【選択図】図２
0003187933.tif 000002
【実用新案登録請求の範囲】
【請求項１】
携帯音楽プレイヤ−本体と、前記音楽プレイヤ−本体に設けられ音程を変えずに任意の再生スピ−ドに変換する再生スピ−ド可変機能と、前記携帯音楽プレイヤ−の外部に設けられた再生スピ−ド可変操作ボタンと、前記携帯音楽プレイヤ−本体と前記再生スピ−ド可変機能と前記操作ボタンを接続する接続線と、を備えた携帯音楽プレイヤ−であって、使用者が音を再生する際に、前記携帯音楽プレイヤ−の外部に設けられた操作ボタンを操作することによって、接続線を介して再生スピ−可変機能が働き再生音を任意のスピ−ドに変えることができることを特徴とする携帯音楽プレイヤ−。
【考案の詳細な説明】
【技術分野】
【０００１】  本考案は、携帯音楽プレイヤ−の再生速度を自分の好みの速度に可変することができるという携帯音楽プレイヤ−に関するものである。
【背景技術】
【０００２】  従来の携帯音楽プレイヤ−は、再生スピ−ドが選べず、語学学習などで速すぎてついていけず、途中で諦める人が少なからずあった。また、さらに速い速度で聴いてみたい人にも対応していなかった。
【考案の概要】
【考案が解決しようとする課題】
【０００３】  携帯音楽プレイヤ−の再生スピ−ドを音程をそのままで変える。
【課題を解決するための手段】
【０００４】  携帯音楽プレイヤ−で音程そのままで再生スピ−ドを可変にする機能を前記携帯音楽プレイヤ−に付属させる。
【考案の効果】
【０００５】  語学学習などのおけいこごとが、より楽に興味をもって続けられる可能性がある。
現在は、携帯プレイヤ−の使用者は主に若者であるが、この機能を付属させることで、高齢者世代にも広がることも考えられる。
【図面の簡単な説明】
【０００６】
【図１】携帯音楽プレイヤ−正面全体図。
【図２】携帯音楽プレイヤ−内部に設けられた再生スピ−ド可変機能。
【考案を実施するための形態】
【０００７】  携帯音楽プレイヤ−の内部に再生スピ−ド可変機能を設け、前記音楽プレイヤ−の外部に可変操作ボタンを設け、再生前に外部操作ボタンが押され、使用者が任意のスピ−ドをを選択した時、接続線を介して前記音楽プレイヤ−のスピ−カ−から音程を変えずに任意のスピ−ドに変化した音声が流れる。
【実施例】
【０００８】  以下添付図に従って、一実施例を説明する。
１は、携帯音楽プレイヤ−正面全体図。２は、携帯音楽プレイヤ−内部に設けられた音声再生スピ−ド可変機能。３は、携帯音楽プレイヤ−の外部に設けられた音声の再生スピ−ドを任意に変化させる操作ボタン。４は、スピ−カ−。５、６は音声再生スピ−ド可変機能と操作ボタンとスピ−カ−を接続する接続線。
【符号の説明】
【０００９】１．携帯音楽プレイヤ−正面全体図。
２．音声再生スピ−ド可変機能
３．外部操作ボタン。
４．携帯音楽プレイヤ−のスピ−カ−
５．接続線。
６．接続線。
【図１】
0003187933.tif 000003
【図２】
0003187933.tif 000004
(57)【要約】      （修正有）【課題】使い方を容易にし、片側の肩への負担軽減を可能とし、使用者の両手に自由を与えつつ乳幼児の落下防止、さらに前記スリングを装着したまま授乳ケープを必要とせず授乳することが出来るスリング子守帯を提供する。【解決手段】長方形の布の対角どうしを縫製して継ぎ合わせ中間部でクロスした背当て部を設け布幅を生かして荷重を背中上部から双肩へさらには上腕部へ分散させる。このことで肩への負担軽減を可能とした。また、スリング内上部に乳幼児を抱くためのサイドに開口部のある内ポケットを設けた。このことによりサイド開口部から手をいれ容易に乳幼児の姿勢を整えることができるので初心者であっても容易に使うことができる。さらにスリング子守帯外面側上部に設けた紐３を使用者の首後ろで留める。このことにより乳幼児の落下防止をし、両手を離すことも可能である。前記の状態で授乳ケープを必要とせずに授乳することが出来る。【選択図】図３
0003187934.tif 000002
【実用新案登録請求の範囲】
【請求項１】
長方形の布の対角どうしを縫製して継ぎ合わせ中間部でクロスした背当て部を設け布幅を生かして荷重を背中上部から双肩へさらには上腕部へ分散させることを特徴とするスリング子守帯。
【請求項２】
請求項１記載のスリング子守帯であって前記スリング子守帯外面側上部に設けた紐を使用者の首後ろで留めることにより乳幼児落下防止及び授乳ケープとして使えることを特徴とする請求項１に記載のスリング子守帯。
【請求項３】
請求項１又は２記載のスリング子守帯であって、前記スリング内上部に乳幼児を抱くためのサイドに開口部のある内ポケットを設けたことにより乳幼児の姿勢を容易に整えることができることを特徴とする請求項１又は２記載のスリング子守帯。
【考案の詳細な説明】
【技術分野】
【０００１】本考案は、乳幼児を抱くのに用いられるスリング子守帯に関するものである。
【背景技術】
【０００２】従来、乳幼児を抱くために用いる子守帯として長尺の布を環状に形成し、使用者の一方の肩にたすき掛けにし、乳幼児の身体を包み込むようにして保持するベビースリングと２本の肩ベルトによるリュック式ベビーキャリアがある。【０００３】長尺の布を環状にした従来のベビースリングは、たすき掛けで片方の肩に掛けて使用するため、片方の肩にのみ負担をかけていた。そのため、長時間の使用には問題があった。
さらに、留め具であるリングが当って痛い場合があった。【０００４】また、従来のベビースリングでは乳幼児を落とす危険があるため両手を離すことはできなかった。さらに、スリングを使う初心者には多少の練習を必要としていた。【０００５】これに対し、二本の肩ベルトによるリュック式ベビーキャリアは、双方の肩に掛けて使用することができ比較的長時間の使用も可能であり乳幼児の抱きかかえ姿勢にも変化を付けることができる。【０００６】しかし、２本の肩ベルトタイプのものは、構造が複雑であり重さもあって肩ベルトが肩にくい込むなどの負担があった。【０００７】さらに、従来のベビースリングやベルトタイプのベビーキャリアを装着したまま授乳をすることは難しく、出来たとしても授乳ケープなどを必要としていた。
【先行技術文献】
【特許文献】
【０００８】
【特許文献１】特開２００３−４７５４２号公報
【特許文献２】特開２００４−２３６７３６号公報
【考案の概要】
【考案が解決しようとする課題】
【０００９】解決しようとする問題点は、肩への負担軽減の面でありベビースリングを使用するにあたり練習を必要としないようにする。さらに、どこでもスリングを装着したまま授乳ケープを必要とせずに授乳できるようにする点である。また、乳幼児を抱いたまま両手を使えるようにすることである。
【課題を解決するための手段】
【００１０】本考案は、肩への負担軽減を可能とするため肩にかかる布幅をそのまま生かし背中上部、肩から上腕部にかけて、さらには双肩へ荷重を分散することにより可能とした。【００１１】また、乳幼児をスリング内に収める際に本考案のスリングの内ポケットサイドから手を入れて乳幼児の姿勢を容易に変えることが可能であるため初心者でも練習を必要とせずに使うことができる。【００１２】さらに、スリング外面側上部に紐を設け使用者の首後ろで留めることにより、乳幼児落下防止になり、授乳時の胸部隠しにもなることを特徴とする。
【考案の効果】
【００１３】本考案のスリング子守帯は、従来のスリング子守帯とは違い双肩へ、肩から上腕部に掛けて荷重を分散させるため長時間の使用に適している。また、本考案のスリング外面側上部に設けた紐を使用者が首後ろで留めることにより、乳幼児の落下防止及び授乳時の胸部隠しの役割をすることができる上、乳幼児を抱きながら使用者の両手も自由に使うことができるようになった。【００１４】さらには、本考案のスリング内側に乳幼児用ポケットを設け、ポケットサイドから手を入れ乳幼児の姿勢を容易に整えることができるので、初心者でも簡単に使うことができる。
【図面の簡単な説明】
【００１５】
【図１】内ポケットを縫製して完成させた状態の展開図である。
【図２】本考案のスリングの完成形状である。
【図３】乳幼児の横抱きの使用例である。
【図４】スリングを装着後の後ろ姿である。
【図５】幼児を抱く際の使用例である。
【考案を実施するための形態】
【００１６】肩への負担軽減を図るため、布幅を生かし背中上部、肩から上腕部にかけて荷重を分散することで実現した。また、スリング内部に乳幼児用ポケットを設け、ポケットサイドを縫い留めず開口部を設けたことで特に乳幼児の横抱きを容易にできるようにした。さらにはスリング外面側上部に設けた紐を使用者の首後ろで留め、乳幼児を落下させる危険を回避し、使用者が両手を自由に使えるようにすることを実現した。
【実施例】
【００１７】以下、添付画面に従って実施例を説明する。図２の６から使用者が頭を通し、５、４から両手を出し乳幼児を１の内ポケットへ横に寝かせた状態で入れ、図１の２または２ａより手を入れ乳幼児の姿勢を整えることができる。【００１８】また、首がすわった大きな乳幼児は１の内ポケットに腰をかけるように座らせることもできるので図５同様足が外へ出ることもないので防寒の役目もする。なお、従来のスリングのような留め具はないため、当って痛いということはなく図２の７又は７ａの一端を引くことで容易に乳幼児と使用者の距離を調整することができる。【００２０】さらに、図５のように幼児は１の下部の袋部位を利用して抱く形状になっている。【００２１】図２の３の紐を使用者の首後ろで留めると、１の乳幼児の落下防止になると共に、従来のスリングでは出来なかった使用者が両手を自由に使うことができるようになった。さらに授乳が必要なとき場所を選ばず図３の状態で片手を添えるだけで授乳ができるので、母親の授乳時の負担をも軽減することが可能となった。
【符号の説明】
【００２２】１          スリング内の内ポケット
２、２ａ    内ポケットサイドの開口部
３          紐
４、５、６  頭や手の通し口
７、７ａ    一端
【図１】
0003187934.tif 000003
【図２】
0003187934.tif 000004
【図３】
0003187934.tif 000005
【図４】
0003187934.tif 000006
【図５】
0003187934.tif 000007
(57)【要約】      （修正有）【課題】小型で軽く、使い勝手がよく、体にできるだけ負担がかからない水田の除草機を提供する。【解決手段】刈払い機本体の先端部に食品を粉砕しかき混ぜるようなブレンダー状の刃４がついたアタッチメント２を取り付ける。狭い水稲間も動きが取りやすく、小さな草もとらえて粉砕できる。【選択図】図２
0003187938.tif 000002
【実用新案登録請求の範囲】
【請求項１】
刈払い機本体に水田の除草をするための、ブレンダ−状の刃のついたアタッチメントを取り付けることを特徴とする刈払機アタッチメント式水田除草機。
【考案の詳細な説明】
【技術分野】
【０００１】  本考案は、水田に生える雑草の除去をするという除草機に関するものである。
【背景技術】
【０００２】  従来、水田の除草に関しては、除草剤という薬剤が主に使用されてきた。より安全な米づくりのために、一部の人が手で除草をしていた。しかし、手での除草は大変な重労働であり殆どの人が途中であきらめたり、無理して続けていても過労で倒れたりする場合もあった。昔の手押し車的な除草機に動力源を取り付けたものも開発されているが、決定打にはならず、広まっていない。
【考案の概要】
【考案が解決しようとする課題】
【０００３】  小型で、軽く使い勝手がよく、体にできるだけ負担がかからないように、水田の除草ができる。
【課題を解決するための手段】
【０００４】  本考案は、刈払機の先をブレンダ−のように小さく、回転しながら捕らえたものを粉砕していくような物をアタッチメントで取り替えて、しゃがまなくても、体にそれほど負担をかけなくても狭い水稲の苗の間に入って行け除草できる。
【考案の効果】
【０００５】  除草の労力の軽減がはかれ、除草剤に頼らず米づくりをしている人の体力的意欲的支援ができる。
【図面の簡単な説明】
【０００６】
【図１】刈払機の全体図
【図２】アタッチメントの除草機能部分の拡大図
【考案を実施するための形態】
【０００７】  刈払機の先端部分を調理器具のブレンダ−式のものに付け替えて、狭い水稲間も動きが取りやすく、小さな草もとらえて粉砕できるようにする。
【実施例】
【０００８】  以下添付図に従って、一実施例を説明する。
１は、刈払い機全体図。２は、アタッチメント取り替え部分。
３は、アタッチメントの覆いの部分。４は、アタッチメントの草を捕らえて粉砕する部分。
【符号の説明】
【０００９】１  刈払い機本体
２  アタッチメント取り替え部分全体
３  アタッチメントの覆いの部分
４  草を捕らえて粉砕する部分
【図１】
0003187938.tif 000003
【図２】
0003187938.tif 000004
(57)【要約】      （修正有）【課題】獣医療に属するものに正確なネコの内臓（泌尿器系）、膀胱腎臓、胎児の位置の教育、および触診等の手技を生きた動物に近い条件下で訓練できるネコ触診モデルを提供する。【解決手段】ウレタンで作られた泌尿器系の臓器（腎臓ａ，ｂ及び膀胱ｄ）とネコの胎児（妊娠５０日齢）ｃをネットにいれ、ネコの人形内部に動かないように固定する。更にネコの人形には、ネコの肛門に模擬肛門ｅを装着し、ネコの触診及び直腸温測定のシミュレーションを可能にする。【選択図】図１
0003187937.tif 000002
【実用新案登録請求の範囲】
【請求項１】
ネコの生体の形状を模した人形に内臓を模したものが埋め込まれたネコ触診モデル。
ネコの生体の形状を模して形成された外素材と化学素材で作った触診に適した内臓を埋め込まれたネコ触診モデル。
【請求項２】
ネコの泌尿器系臓器と胎児がそれたに対応する位置に設けられておりリアルな触診訓練が可能なネコ触診モデル。
ネコの生体の形状を模した人形の内部に、各臓器に対応した位置に固形の物体が設けたれているネコ触診モデル。
【請求項３】
肛門の形状を模して開孔されたものが設けられており、模擬肛門から体温計等が挿入可能なネコ触診モデル。
肛門に対応する箇所に開孔部のあるネコ触診モデル。
【考案の詳細な説明】
【技術分野】
【０００１】本開発は獣医医療に携わる獣医師、及び動物看護師の教育における正常なネコの泌尿器系の触診モデルに関する。
【背景技術】
【０００２】獣医療（獣医師・動物看護師養成教育）の実習教育では、現在まで座学もしくは生体の使用が一般的であった。以前から代替法が掲げられているものの、本国は現状として実行できていない。そこで獣医療の現場においても難しい猫の触診シミュレータを作り出し、獣医療に携わる者の訓練に役立てるものである。また、ネコは哺乳類に珍しく、泌尿器系の内臓が触診できる動物である。医療以外の教育にも役立てる。
【先行技術文献】
【特許文献】
【０００３】
【特許文献１】特開２０１３−０２９８２０
【特許文献２】中実２０１６６２９２６
【特許文献３】実録３１５２４４６
【考案の概要】
【考案が解決しようとする課題】
【０００４】本開発の課題は獣医療に属するものに正確なネコの内臓（泌尿器系）、膀胱、腎臓、胎児の位置の教育、および触診等の手技を生きた動物に近い条件下で訓練できるネコ触診モデルの提供。
【課題を解決するための手段】
【０００５】ウレタンで作られた泌尿器系の臓器（腎臓及び膀胱）とネコの胎児（妊娠５０日齢）をネットにいれ、ネコの人形内部に動かないように固定した。更にネコの人形には、ネコの肛門に肛門を装着し、ネコの触診及び直腸温測定のシミュレーションが可能なネコ触診人形を提供する。
【考案の効果】
【０００６】獣医師・動物看護師の教育の場における直腸温測定のシミュレーションが可能である。
【図面の簡単な説明】
【０００７】
【図１】ネコ触診人形の全体像と臓器の位置関係（横）
【図２】ネコ触診人形の全体像と臓器の位置関係（下から）
【図３】ネコ触診人形（後）
【考案を実施するための形態】
【０００８】本発明について詳細に説明する。本発明は、哺乳類にも珍しく泌尿器系の内臓が体表面から触診可能な動物であり、動物医療関係者の教育及び医療以外の教育にも役立てる。
【実施例】
【０００９】  本発明にあたりの作成に当たり、ネコ触診モデルがどの程度有用性があるのかを調べるため、開発段階で動物看護を目指す学生向けの実習で調査を行った知識だけでネコの泌尿器系臓器の位置をテスト（テスト用紙）で確認し、その後Ａグループは座学、Ｂグループは触診モデルで実習を行った後に同様のテストを行った。それらの回答を獣医師によって作成された模範解答に従い正誤判定した。判定項目は、腎臓・膀胱の位置、腎臓・膀胱の大きさ、腎臓・膀胱の形と向き、腎臓・膀胱の数の４項目であった。正しければ項目１つを１点とし一人計４点満点で総合点数を算出し、  ○人×４点＝○点＝１００％の計算式をもとに正答率を算出し、各項目で学習効果を比較した。
0003187937.tif 000003
何も教えずに行ったテストでは、Ａ・Ｂグループとも正しい位置に腎臓・膀胱を記入できた人は一人もいなかった。２回目のテストで、Ａグループでは正答率は変わらず、Ｂグループでは、８１．２％まで上昇した。
大きさにおいては座学・触診とも学習効果の上昇率はほぼ同じだったが、形・向きにおける正答率はＡグループでは２３．９％であったが、Ｂグループでは７４．３％もの正答率の上昇がみられた。臓器の数における評価では、１回目のテストで正答率にばらつきがあったものの、２回目のテストではＡ・Ｂグループともに正答率は１００％になった。Ａ・Ｂグループの総合正答率を比較すると、両グループともに２回目のテストでは正答率が上昇したものの、Ｂグループの方がより上昇していた。
これは、ネコ触診モデルを用いたＢグループの方が、よりネコの泌尿器系臓器に対して理解を深めたという事になる。このことから、ネコ触診モデルは、動物看護師教育の場に置いて有用であることが示唆された（グラフより）。
0003187937.tif 000004
グラフ  正答率の比較
上段左は位置に関する正答率、上段右は大きさに関する正答率、中段左は形・向きに関する正答率、中段右は数に関する正答率、下段左は総合的な正答率を示す。
【符号の説明】
【００１０】ａ  腎臓（右）
ｂ  腎臓（左）
ｃ  妊娠５０日の子猫
ｄ  膀胱
ｅ  肛門
【図１】
0003187937.tif 000005
【図２】
0003187937.tif 000006
【図３】
0003187937.tif 000007
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
ネコの生体の形状を模した人形に化学素材で作られた内臓を模したものが埋め込まれたネコ触診モデル。
【請求項２】
請求項１において
（１）ネコの泌尿器系臓器と胎児がそれらに対応する位置に設けられておりリアルな触診訓練が可能なネコ触診モデル
（２）ネコの生体の形状を模した人形の内部に、各臓器に対応した位置に各臓器に対応した形状の固形の物体が設けられているネコ触診モデル
以上の（１）（２）の特徴を持つ請求項１のネコ触診モデル。
【請求項３】
請求項１において
（１）肛門に対応する箇所に開孔部のあるネコ触診モデル
（２）肛門の形状を模して開孔されたものが設けられており、模擬肛門から体温計が挿入可能なネコ触診モデル
以上の（１）（２）が可能なネコ触診モデル。
(57)【要約】      （修正有）【課題】掃除タワシのタワシ部分を細かく振動させ楽に掃除ができる電動掃除タワシを提供する。【解決手段】掃除（電動）タワシ本体１に振動モーター３を組み込みタワシ部分２が細かく振動するようにした。タワシが振動することで、汚れが軽い力で落とせるようにした。バッテリー５を組み込み、バッテリー５に充電し、コードレスで使い勝手よくした。【選択図】図１
0003187914.tif 000002
【実用新案登録請求の範囲】
【請求項１】
掃除タワシに振動モーターを組み込みタワシ部分が細かく振動することを特徴とする電動掃除タワシ
【請求項２】
電動掃除タワシにバッテリーを組み込み充電機を使って充電させハンディに使えることを特徴とする電動掃除タワシ
【考案の詳細な説明】
【技術分野】
【０００１】  本考案は、従来からある掃除タワシに振動モーターを組み込み、タワシ部が振動し掃除し易くするようにした電動掃除タワシに関するものである。
【背景技術】
【０００２】  従来トイレ等に付着した汚れを取る際、手動のタワシやブラシで力を入れてこすって落としていた。
【考案の概要】
【考案が解決しようとする課題】
【０００３】  高齢化社会に伴い、手の力が弱まった人間が増え、トイレ等のしつこい汚れを落とすことが困難になりつつあると言う欠点を解決しようとするためのものである。
【課題を解決するための手段】  従来からある掃除タワシの中に振動モーターを組み込みタワシ部分を細かく振動させる。さらに組み込んだバッテリーに充電し、ハンディに使えるようにもする。
【考案の効果】
【０００５】  タワシが振動することで、汚れが軽い力で落とせる。
充電タイプでは、コードがない為使い勝手がよい。
【図面の簡単な説明】
【０００６】
【図１】電動掃除タワシ本体の正面図である
【考案を実施するための形態】
【０００７】  掃除タワシ本体の中にバッテリーを設けそこから電力が供給される振動モーターを組み込み、タワシ部分が細かく振動するようにする。又タワシ部をアタッチメントで大小形態の違うものと変えることもできる。
【実施例】
【０００８】  以下添付図に従って一実施例を説明する。
１は、掃除（電動）タワシ本体  ２は、振動するタワシ部分  ３は、組み込まれた振動モーター  ４は駆動軸  ５は、組み込まれたバッテリー  ６は、バッテリーに充電するための充電器
【符号の説明】
【０００９】１．電動タワシ本体
２  振動するタワシ部分
３  組み込まれた振動モーター
４．駆動軸
５．バッテリー
６．充電機
【図１】
0003187914.tif 000003
【手続補正書】
【提出日】平成25年7月16日(2013.7.16)
【手続補正１】
【補正対象書類名】実用新案登録請求の範囲
【補正対象項目名】全文
【補正方法】変更
【補正の内容】
【実用新案登録請求の範囲】
【請求項１】
掃除タワシに振動モ−タ−を組み込みタワシ部分が細かく振動することを特徴とする電動掃除タワシ。
【請求項２】
電動掃除タワシにバッテリ−を組み込み充電機を使って充電させハンディに使えることを特徴とする請求項１記載の電動掃除タワシ。
(57)【要約】      （修正有）【課題】アルミ缶・スチール缶・缶詰等のプルトップ蓋押下げ開けるためのタブを引き上げ簡単に開けることのできる開蓋具を提供する。【解決手段】摘み部１と、摘み部の先端に設けられた支点部４と、摘み部と支点部との間に設けられた引っ掛け用フック２と、を備えたプルトップ開蓋具であって、引っ掛け用フックは、金属製のタブ６を有する缶５のタブ穴に係合し、摘み部の先端を支点部として摘み部を持ち上げることによりプルトップ蓋を押下げる。プルトップのタブ穴に引っ掛けフックと摘みを一体にすることで梃子の原理を応用し容易にプルトップを開けることができる。【選択図】図２
0003187915.tif 000002
【実用新案登録請求の範囲】
【請求項１】
金属製のタブを有する缶のタブ穴に係合する引っ掛け用フックを有し、プルト摘み部の先端を支点部として摘み部を持ち上げることによりプルトップ蓋を押下げできることを特徴とするプルトップ開蓋具。
【考案の詳細な説明】
【技術分野】
【０００１】
本考案は、缶コ―ヒ―、缶ジュ―ス、缶ビ―ル、缶詰等の蓋部に付いているプルトップを開けるために用いる使い捨てできるプルトップ開蓋具に関するものである。
【背景技術】
【０００２】
従来プルトップを開ける器具等の使い捨ては全く見当たらない。
市販等での商品は持ち歩きするものでしかなく、また、プルトップを開ける物としては金属・板状・ワイヤ―状の物がある。
【先行技術文献】
【特許文献】
【０００３】
【特許文献１】特開２０１１−７３７９１
【特許文献２】特開２００８−１７４２７６
【考案の概要】
【考案が解決しようとする課題】
【０００４】
現代女性の人は爪を奇麗に見せるためにマ二キュアやネイルチップ等を付けたりして爪を奇麗に見せるために指先を使うことが苦手のようである、また、子供や高齢者にはプルトップのタブを引き上げ開缶するには難しい。
缶ジュ―ス等のような缶封入容器等のプルトップを開けるのにスプ―ン・ナイフ・鋏を使うといったことは当たり前に成っているが危険性も高い、手元が滑り怪我をする恐れがあるし、物がすぐ手元にあるとは限らない従って本考案が解決しようとする課題は女性の爪を護り、尚、子供や高齢者でも容易に開缶できる安価で簡易利器を事業者・サ―ビス業・消費者に広く提供しようとするものである。
【課題を解決するための手段】
【０００５】
本考案は適宜な強度を有する材質で厚み３ミリ程度で造られたプルトップ開けで摘み部（１）先端部分にフック（２）と支点（４）を一体とした物である。
【考案の効果】
【０００６】
上述のように本考案はプルトップのタブ穴に引っ掛けフックと摘みを一体にすることで梃子の原理を応用し容易にプルトップを開けることが出来き、子供・女性・高齢者の方々でも開缶しやすい。
【図面の簡単な説明】
【０００７】
【図１】プルトップ開け器具の断面図
【図２】タブ穴にフックを引っ掛けている断面図
【図３】プルトップを開けた断面図
【考案を実施するための形態】
【０００８】
請求項１では適宜な強度を有する材質で厚み３ｍｍ程度長さは７０ｍｍ程度フック溝最低５ｍｍフック先端から胴までの厚みは１〜３ｍｍが望ましい支点部８ｍｍ程度。
【実施例】
【０００９】
以下添付図に従って一実施例を説明する
金属製のタブ（６）を有する缶（５）において、摘み部（１）の先端を支点部（４）として、その近傍に引っ掛け用フック（２）を構成するとともに該フック（２）には戻り止め（３）を付加しタブ（６）穴に引っ掛けて持ち上げることにより梃子の原理でプルトップ蓋（７）を開けることのできるプルトップ開蓋具である。
【産業上の利用可能性】
【００１０】
本商品は以上のように構成された物で、安価で大量生産が可能で有り事業者のサ―ビス品として缶封入容器等に添え付けすることで消費者の年齢巾も広がり売上につながり消費者にも喜ばれる使い捨てプルトップ開けは優れた効果がえられる。
【符号の説明】
【００１１】
１  摘み部
２  引っ掛け用フック
３  戻り止め
４  杆の支点部
５  缶
６  タブ
７  プルトップ蓋
【図１】
0003187915.tif 000003
【図２】
0003187915.tif 000004
【図３】
0003187915.tif 000005
【手続補正書】
【提出日】平成25年8月7日(2013.8.7)
【手続補正１】
【補正対象書類名】実用新案登録請求の範囲
【補正対象項目名】全文
【補正方法】変更
【補正の内容】
【実用新案登録請求の範囲】
【請求項１】
摘み部と、前記摘み部の先端に設けられた支点部と、前記摘み部と前記支点部との間に設けられた引っ掛け用フックと、を備えたプルトップ開蓋具であって、前記引っ掛け用フックは、金属製のタブを有する缶のタブ穴に係合し、前記摘み部の先端を支点部として摘み部を持ち上げることによりプルトップ蓋を押下げできることを特徴とするプルトップ開蓋具。